(57)【要約】【課題】置き畳の縁部分を簡易且つ確実にしかも見栄えよく縁取る。【解決手段】置き畳２ａの縁部分３の、対向する第１の縁面５と第２の縁面１９と側面１５を縁取るテープ本体４を具える。テープ本体４は、第１の縁面５の延長方向に延長し且つその外側縁６が第１の縁面５の端縁７に合致した状態で第１の縁面５に接着される第１の縁面覆片９を具える。第１の縁面覆片９の内側縁に、外側縁６と平行する折り線部１１を介して連設されて第１の縁面覆片９に接着されるカバー片１２を具える。カバー片１２の先端縁に、側面１５に接着される側面覆片１６を具え、その先端縁に、第２の縁面１９に接着される第２の縁面覆片２０を具える。これらの接着のために、所要部位に、剥離シート２１に支持された両面粘着シート２２が貼着されており、折り線部１１に沿って折り癖が設けられている。【選択図】図１
2017048530.tif 000002
【特許請求の範囲】
【請求項１】
物品の縁部分を縁取るテープ本体を具える縁取りテープであって、
前記テープ本体は、前記縁部分の表裏対向する縁面の何れか一方である第１の縁面の延長方向に延長し且つその外側縁が該第１の縁面の端縁に合致した状態で該第１の縁面に接着される第１の縁面覆片と、該第１の縁面覆片の内側縁に、前記外側縁と平行する折り線部を介して連設されて該第１の縁面覆片を覆い得ると共に該第１の縁面覆片に接着されるカバー片とを具えており、該第１の縁面覆片の該第１の縁面に対しての接着は、少なくとも前記内側縁側において行われる如くなされており、
前記第１の縁面覆片には、前記接着を行わせるために、剥離シートに支持された両面粘着シートが貼着されており、
又、前記折り線部に沿って折り避が設けられていることを特徴とする縁取りテープ。
【請求項２】
物品の縁部分を縁取るテープ本体を具える縁取りテープであって、
前記テープ本体は、前記縁部分の表裏対向する縁面の何れか一方である第１の縁面の延長方向に延長し且つその外側縁が該第１の縁面の端縁に合致した状態で該第１の縁面に接着される第１の縁面覆片と、該第１の縁面覆片の内側縁に、前記外側縁と平行する折り線部を介して連設されて該第１の縁面覆片を覆い得るカバー片と、該カバー片の先端縁に連設されて前記縁部分の側面に接着される側面覆片とを具えており、前記第１の縁面覆片の前記第１の縁面に対しての接着は、少なくとも前記内側縁側において行われる如くなされており、
前記第１の縁面覆片と前記側面覆片には、前記接着を行わせるために、剥離シートに支持された両面粘着シートが貼着されており、
又、前記折り線部に沿って折り癖が設けられていることを特徴とする縁取りテープ。
【請求項３】
物品の縁部分を縁取るテープ本体を具える縁取りテープであって、
前記テープ本体は、前記縁部分の表裏対向する縁面の何れか一方である第１の縁面の延長方向に延長し且つその外側縁が該第１の縁面の端縁に合致した状態で該第１の縁面に接着される第１の縁面覆片と、該第１の縁面覆片の内側縁に、前記外側縁と平行する折り線部を介して連設されて該第１の縁面覆片を覆い得るカバー片と、該カバー片の先端縁に連設されて前記縁部分の側面を覆い得る側面覆片と、該側面覆片の先端縁に連設され且つ、前記表裏対向する縁面の他方である第２の縁面に接着される第２の縁面覆片とを具えており、前記第１の縁面覆片の前記第１の縁面に対しての接着は、少なくとも前記内側縁側において行われる如くなされており、
前記第１の縁面覆片と前記第２の縁面覆片には、前記接着を行わせるために、剥離シートに支持された両面粘着シートが貼着されており、
又、前記折り線部に沿って折り避が設けられていることを特徴とする縁取りテープ。
【請求項４】
物品の縁部分を縁取るテープ本体を具える縁取りテープであって、
前記テープ本体は、前記縁部分の表裏対向する縁面の何れか一方である第１の縁面の延長方向に延長し且つその外側縁が該第１の縁面の端縁に合致した状態で該第１の縁面に接着される第１の縁面覆片と、該第１の縁面覆片の内側縁に、前記外端縁と平行する折り線部を介して連設されて該第１の縁面覆片を覆い得るカバー片と、該カバー片の先端縁に連設されて前記縁部分の側面を覆い得る側面覆片と、該側面覆片の先端縁に連設され且つ、前記表裏対向する縁面の他方である第２の縁面に接着される第２の縁面覆片とを具えており、
該第２の縁面覆片は、前記第２の縁面に面する側で内側に折り返されて二つ折りされ、且つ該折り返し片が、前記第２の縁面に接着される如くなされており、
前記第１の縁面覆片の前記第１の縁面に対しての接着は、少なくとも前記内側縁側において行われる如くなされており、又前記第２の縁面覆片の前記第２の縁面に対しての接着は、少なくとも、前記二つ折りによる折り曲げ部側において行われる如くなされており、
前記第１の縁面覆片と、前記第２の縁面覆片の前記折り返し片には、前記接着を行わせるために、剥離シートに支持された両面粘着シートが貼着されており、
又、前記折り線部に沿って折り避が設けられていることを特徴とする縁取りテープ。
【請求項５】
前記カバー片が前記第１の縁面覆片に接着される如くなされており、該カバー片の接着を行わせるために、該カバー片又は前記第１の縁面覆片に、剥離シートに支持された両面粘着シートが貼着されていることを特徴とする請求項２〜４の何れかに記載の縁取りテープ。
【請求項６】
前記第１の縁面覆片の前記第１の縁面に対しての接着は、少なくとも前記内側縁側において、該内側縁に沿って連続状態で行われる如くなされていることを特徴とする請求項１〜５の何れかに記載の縁取りテープ。
【請求項７】
前記第１の縁面覆片が、その略全面で前記第１の縁面に接着される如くなされると共に、前記カバー片が、その略全面で前記第１の縁面覆片に接着される如くなされており、前記第１の縁面覆片の接着を行わせるために、該第１の縁面覆片に、剥離シートに支持された両面粘着シートが貼着されており、又、前記カバー片の接着を行わせるために、該カバー片又は前記第１の縁面覆片に、剥離シートに支持された両面粘着シートが貼着されていることを特徴とする請求項１〜６の何れかに記載の縁取りテープ。
【請求項８】
前記折り線部の幅は、前記カバー片が、該折り線部で折り曲げられて前記第１の縁面覆片を覆った状態となされたときに、該カバー片の折り曲げ部の先端が、前記第１の縁面覆片に貼着されている前記両面粘着テープの先端側縁（該両面粘着テープの両側縁のうちの前記第１の縁面の前記端縁から遠い側縁）から先側に突出した状態となり得るように設定されていることを特徴とする請求項１〜７の何れかに記載の縁取りテープ。
【請求項９】
前記縁取りテープを構成する前記第２の縁面覆片の先端側に、両面粘着シートが貼着されていない摘み用縁部分が形成されていることを特徴とする請求項３記載の物品の縁取りテープ。
【請求項１０】
請求項８記載の縁取りテープを置き畳の縁部分に取り付けてなる縁取り置き畳であって、前記第１の縁面覆片が、その外側縁を前記第１の縁面の前記端縁に合致させて該第１の縁面に接着されると共に、前記カバー片が前記折り線部で折り曲げられて前記第１の縁面覆片に接着されており、該カバー片の折り曲げ部の先端が、前記第１の縁面覆片に貼着されている前記両面粘着テープの先端側縁（該両面粘着テープの両側縁のうちの前記第１の縁面の前記端縁から遠い側縁）から先側に突出するようになされていることを特徴とする縁取り置き畳。
【請求項１１】
請求項８記載の縁取りテープを畳の上敷の縁部分に取り付けてなる縁取り上敷であって、前記第１の縁面覆片が、その外側縁を前記第１の縁面の前記端縁に合致させて該第１の縁面に接着されると共に、前記カバー片が前記折り線部で折り曲げられて前記第１の縁面覆片に接着されており、該カバー片の折り曲げ部の先端が、前記第１の縁面覆片に貼着されている前記両面粘着テープの先端側縁（該両面粘着テープの両側縁のうちの前記第１の縁面の前記端縁から遠い側縁）から先側に突出するようになされていることを特徴とする縁取り上敷。
【請求項１２】
請求項１〜９の何れかに記載の縁取りテープを、前記カバー片を前記第１の縁面覆片に対して折り曲げた状態にして、前記物品とセットにして包装したことを特徴とする縁取りテープと物品とのセット物。
【請求項１３】
請求項１〜９の何れかに記載の縁取りテープを、前記カバー片を前記第１の縁面覆片に対して折り曲げた状態で且つ、端部がＵ字状に屈曲された巻回状態として、前記物品とセットにして包装したことを特徴とする縁取りテープと物品とのセット物。
【発明の詳細な説明】
【技術分野】
【０００１】
本発明は、置き畳や上敷、ござ、レジャー用シート、花瓶や置物等を載せるための敷物、コースターや皿、写真立て等、縁取り可能な各種物品の縁部分を縁取る縁取りテープに関するものであり、又、縁取り置き畳・縁取り上敷に関するものであり、更に、縁取りテープと物品とのセット物に関するものである。
【背景技術】
【０００２】
洋間の床面に部分的に置き畳を敷いて畳敷きのくつろげるスペースを作ることが多く行われている。その場合、柱が障害となる場合は、柱を避けるように、置き畳の所要部分を切り欠いて欠切部を設けざるを得ない。又、床面にタンスやロッカーが置かれている場合は、これを一旦移動して置き畳を敷き、その後、これらを元の位置に戻すことが行われているが、タンス等は重いためにその移動作業は大変である。そのため、この場合も、設置されているタンス等の下端部分を納め得るように置き畳の所要部分を切り欠いて欠切部を設けるのが便宜である。
【０００３】
又、六畳間等の畳間に上敷を敷こうとする場合、畳上にタンスが設置してある場合が多い。そのため従来は、タンスを一旦移動した後に上敷を畳間全面に敷き、その後にタンスを元の位置に戻すことが行われている。ところで上敷は比較的安価であること、又変色し易く損傷も受けやすいことから、商品寿命が数年程度の買い換えの激しい商品である。そのため、買い換えの都度、前記のようにタンスの移動を行わなければならないことは非常に煩わしいものであった。
【０００４】
そこで、畳上のタンスを移動させることなく上敷を敷く方法として、設置されているタンス等の下端部分を納め得るように、上敷の所要部分を切り欠いて欠切部を設け、この欠切部の縁部分を縁取りテープによって補修することが行われている。
【０００５】
ところで、置き畳や上敷の縁部分を縁取りテープで縁取りする従来の作業手順の一例としては、図２５〜２９に示すものがある。
【０００６】
図２５は、置き畳ａの縁部分ｂを縁取りテープｃで縁取りした状態の一例を示す部分斜視図であり（例えば特許文献１）、該縁部分ｂの上の縁面ｄが内側覆片ｅで覆われると共に該内側覆片ｅの先側部位が該縁部分ｂに縫製ｆされている。そして該縁取りテープｃは、該内側覆片ｅの先端部位ｇで折り返えされて該内側覆片ｅが外側覆片ｈで覆われ、該外側覆片ｈの先端で折り曲げられ、側面覆片ｊで前記縁部分ｂの側面ｋが覆われ、該側面覆片ｊの下端で折り曲げられ、前記縁部分ｂの下の縁面ｍが下面覆片ｎで覆われ、該下面覆片ｎがステープル等で前記縁部分ｂに固定されている。
【０００７】
図２６は、置き畳ａの縁部分ｂを縁取りテープｃで縁取りした状態の他の例を示す部分斜視図であり、該置き畳ａの縁部分ｂの上の縁面ｄが、縁下紙ｐを挾んだ状態の内側覆片ｅと外側覆片ｈとの重ね覆片ｑで覆われると共に、前記縁部分ｂの側面ｋが側面覆片ｊで覆われ、又、下面覆片ｎで縁部分ｂの下の縁面ｍが覆われ、前記重ね覆片ｑの先側部位において、該重ね覆片ｑと前記下面覆片ｎとが前記縁部分ｂにミシンで縫製ｆされている。そしてこのように縫製されているため、前記重ね覆片ｑの先側部分ｒには、その長さ方向に縫い目ｓが連続してあらわれている（例えば特許文献２）。
【０００８】
図２７は、置き畳ａの縁部分ｂを縁取りテープｃで縁取りした状態のその他の例を示す部分斜視図であり、上下の先側部分ｔ，ｔの夫々が内側に折り曲げられてなる縁取りテープｃを二つ折り状態にして該縁部分ｂを挾むと共に、該上下の先側部分ｔ，ｔをミシンで縫製することにより該縁取りテープｃが該縁部分ｂに固定されており、該縁部分ｂにはその長さ方向に縫い目ｕが連続してあらわれている。
【０００９】
又図２８は、上敷ｖの縁部分ｂを縁取りテープｃで縁取りした部分斜視図であり、上下の先側部分ｔ，ｔが内側に折り曲げられてなる縁取りテープｃを二つ折り状態にして該縁部分ｂを挾むと共に、該上下の先側部分ｔ，ｔをミシンで縫製することにより該縁取りテープｃが該縁部分ｂに固定されており、該縁部分ｂにはその長さ方向に縫い目ｕが連続してあらわれている。
【００１０】
図２９は、前記のように縁取りされている上敷ｖの前記欠切部の縁部分ｂを縁取りテープｃによって補修するに際し、縫製手段を用いないで縁取りした状態を示す部分斜視図である。該縁取りテープｃは、本出願人が特許文献３で提供したものであり、図３０に示すように、テープ本体ｙの、長手中央線部ａ１を境にした両覆片ｂ１，ｂ１に、剥離シートｃ１に支持された両面粘着シートｄ１を貼着して構成されており、図３１に示すように、該剥離シートｃ１を剥がして後、図３１、図３０に示すように、該テープ本体ｙを前記縁部分ｂを被覆するように貼着して、前記欠切部の縁部分ｂを補修するものであった。
【００１１】
しかしながら、以上述べた従来の縁取りにあっては次のような問題があった。即ち、図２５〜２８に示す縁取りｅ１にあっては、ミシンで縫製する必要があるため、前記欠切部の縁部分ｂの補修は専門業者に依頼して行わざるを得ないのが実情であった。又、このように設けられた縁取りテープｃが変色したり損傷を受けた場合等において、これを取り外して新たな縁取りテープｃを取り付けようとする場合も、前記のように縫製されているためにその付け替えが容易でないことから、同様に専門業者に依頼せざるを得なかった。
【００１２】
又、図２６〜２８に示す縁取りｅ１にあっては縫い目ｕが目視されることから、置き畳を敷いて形成された畳敷き部分や、上敷を敷いた部分が安っぽさを感じさせる問題があった。
【００１３】
又、前記二つ折り貼着式の縁取りテープｃを用いる前記縁部分ｂの補修にあっては、図２９に示すように、該縁取りテープｃの各覆片ｂ１，ｂ１が一枚物であったため、覆片ｂ１による上敷ｖの縁取りｅ１はボリューム感に乏しく、ボリューム感のある元々の縁取り（例えば図２５に示されている縁取りｅ１）と外観上の統一がとれず、装飾性の面で物足りなさがあった。更に、一枚物の覆片ｂ１の裏側には両面粘着シートｄ１が貼着されており、該両面粘着シートｄ１の先端縁ｇ１が前記覆片ｂ１の先端縁ｆ１に略合致した状態にあったため（図２９）、粘着性の該先端縁ｇ１に付着した埃が上から目視されやすく、これが縁取り部の見栄えを損なう問題もあった。
【先行技術文献】
【特許文献】
【００１４】
【特許文献１】特開平８−２８４３８１号公報
【特許文献２】特開平５−３１１８５１号公報
【特許文献３】特開平１１−１０３９９７号公報
【発明の概要】
【発明が解決しようとする課題】
【００１５】
本発明は、前記従来の問題点に鑑みて開発されたものであり、置き畳や上敷等の物品の縁部分を簡易且つ確実にしかも見栄えよく縁取りし得る縁取りテープの提供を課題とするものである。又、これを用いてなる品質のよい縁取り置き畳・縁取り上敷の提供を課題とするものであり、更に、使用上の便宜を考慮して包装された縁取りテープと物品とのセット物の提供を課題とするものである。
【課題を解決するための手段】
【００１６】
前記課題を解決するため本発明は以下の手段を採用する。
即ち、本発明に係る縁取りテープの第１の態様は、物品の縁部分を縁取るテープ本体を具える縁取りテープであって、前記テープ本体は、前記縁部分の表裏対向する縁面の何れか一方である第１の縁面の延長方向に延長し且つその外側縁が該第１の縁面の端縁に合致した状態で該第１の縁面に接着される第１の縁面覆片と、該第１の縁面覆片の内側縁に、前記外側縁と平行する折り線部を介して連設されて該第１の縁面覆片を覆い得ると共に該第１の縁面覆片に接着されるカバー片とを具えており、該第１の縁面覆片の該第１の縁面に対しての接着は、少なくとも前記内側縁側において行われる如くなされている。そして、前記第１の縁面覆片には、前記接着を行わせるために、剥離シートに支持された両面粘着シートが貼着されており、又、前記折り線部に沿って折り避が設けられていることを特徴とするものである。
【００１７】
本発明に係る縁取りテープの第２の態様は、物品の縁部分を縁取るテープ本体を具える縁取りテープであって、前記テープ本体は、前記縁部分の表裏対向する縁面の何れか一方である第１の縁面の延長方向に延長し且つその外側縁が該第１の縁面の端縁に合致した状態で該第１の縁面に接着される第１の縁面覆片と、該第１の縁面覆片の内側縁に、前記外側縁と平行する折り線部を介して連設されて該第１の縁面覆片を覆い得るカバー片と、該カバー片の先端縁に連設されて前記縁部分の側面に接着される側面覆片とを具えており、前記第１の縁面覆片の前記第１の縁面に対しての接着は、少なくとも前記内側縁側において行われる如くなされている。そして、前記第１の縁面覆片と前記側面覆片には、前記接着を行わせるために、剥離シートに支持された両面粘着シートが貼着されており、又、前記折り線部に沿って折り癖が設けられていることを特徴とするものである。
【００１８】
本発明に係る縁取りテープの第３の態様は、物品の縁部分を縁取るテープ本体を具える縁取りテープであって、前記テープ本体は、前記縁部分の表裏対向する縁面の何れか一方である第１の縁面の延長方向に延長し且つその外側縁が該第１の縁面の端縁に合致した状態で該第１の縁面に接着される第１の縁面覆片と、該第１の縁面覆片の内側縁に、前記外側縁と平行する折り線部を介して連設されて該第１の縁面覆片を覆い得るカバー片と、該カバー片の先端縁に連設されて前記縁部分の側面を覆い得る側面覆片と、該側面覆片の先端縁に連設され且つ、前記表裏対向する縁面の他方である第２の縁面に接着される第２の縁面覆片とを具えており、前記第１の縁面覆片の前記第１の縁面に対しての接着は、少なくとも前記内側縁側において行われる如くなされている。そして、前記第１の縁面覆片と前記第２の縁面覆片には、前記接着を行わせるために、剥離シートに支持された両面粘着シートが貼着されており、又、前記折り線部に沿って折り避が設けられていることを特徴とするものである。
【００１９】
本発明に係る縁取りテープの第４の態様は、物品の縁部分を縁取るテープ本体を具える縁取りテープであって、前記テープ本体は、前記縁部分の表裏対向する縁面の何れか一方である第１の縁面の延長方向に延長し且つその外側縁が該第１の縁面の端縁に合致した状態で該第１の縁面に接着される第１の縁面覆片と、該第１の縁面覆片の内側縁に、前記外端縁と平行する折り線部を介して連設されて該第１の縁面覆片を覆い得るカバー片と、該カバー片の先端縁に連設されて前記縁部分の側面を覆い得る側面覆片と、該側面覆片の先端縁に連設され且つ、前記表裏対向する縁面の他方である第２の縁面に接着される第２の縁面覆片とを具えている。該第２の縁面覆片は、前記第２の縁面に面する側で内側に折り返されて二つ折りされ、且つ該折り返し片が、前記第２の縁面に接着される如くなされており、前記第１の縁面覆片の前記第１の縁面に対しての接着は、少なくとも前記内側縁側において行われる如くなされており、又前記第２の縁面覆片の前記第２の縁面に対しての接着は、少なくとも、前記二つ折りによる折り曲げ部側において行われる如くなされている。そして、前記第１の縁面覆片と、前記第２の縁面覆片の前記折り返し片には、前記接着を行わせるために、剥離シートに支持された両面粘着シートが貼着されており、又、前記折り線部に沿って折り避が設けられていることを特徴とするものである。
【００２０】
本発明に係る縁取りテープの第５の態様は、前記第２〜４の何れかの態様の縁取りテープにおいて、前記カバー片が前記第１の縁面覆片に接着される如くなされており、該カバー片の接着を行わせるために、該カバー片又は前記第１の縁面覆片に、剥離シートに支持された両面粘着シートが貼着されていることを特徴とするものである。
縁取りテープ。
【００２１】
本発明に係る縁取りテープの第６の態様は、前記第１〜５の何れかの態様の縁取りテープにおいて、前記第１の縁面覆片の前記第１の縁面に対しての接着は、少なくとも前記内側縁側において、該内側縁に沿って連続状態で行われる如くなされていることを特徴とするものである。
【００２２】
本発明に係る縁取りテープの第７の態様は、前記第１〜６の何れかの態様の縁取りテープにおいて、前記第１の縁面覆片が、その略全面で前記第１の縁面に接着される如くなされると共に、前記カバー片が、その略全面で前記第１の縁面覆片に接着される如くなされており、前記第１の縁面覆片の接着を行わせるために、該第１の縁面覆片に、剥離シートに支持された両面粘着シートが貼着されており、又、前記カバー片の接着を行わせるために、該カバー片又は前記第１の縁面覆片に、剥離シートに支持された両面粘着シートが貼着されていることを特徴とするものである。
【００２３】
本発明に係る縁取りテープの第８の態様は、前記第１〜７の何れかの態様の縁取りテープにおいて、前記折り線部の幅は、前記カバー片が、該折り線部で折り曲げられて前記第１の縁面覆片を覆った状態となされたときに、該カバー片の折り曲げ部の先端が、前記第１の縁面覆片に貼着されている前記両面粘着テープの先端側縁（該両面粘着テープの両側縁のうちの前記第１の縁面の前記端縁から遠い側縁）から先側に突出した状態となり得るように設定されていることを特徴とするものである。
【００２４】
本発明に係る縁取りテープの第９の態様は、前記第３の態様の縁取りテープにおいて、前記縁取りテープを構成する前記第２の縁面覆片の先端側に、両面粘着シートが貼着されていない摘み用縁部分が形成されていることを特徴とするものである。
【００２５】
本発明に係る縁取り置き畳は、前記第８の態様の縁取りテープを置き畳の縁部分に取り付けてなる縁取り置き畳であって、前記第１の縁面覆片が、その外側縁を前記第１の縁面の前記端縁に合致させて該第１の縁面に接着されると共に、前記カバー片が前記折り線部で折り曲げられて前記第１の縁面覆片に接着されており、該カバー片の折り曲げ部の先端が、前記第１の縁面覆片に貼着されている前記両面粘着テープの先端側縁（該両面粘着テープの両側縁のうちの前記第１の縁面の前記端縁から遠い側縁）から先側に突出するようになされていることを特徴とするものである。
【００２６】
本発明の係る縁取り上敷は、前記第８の態様の縁取りテープを畳の上敷の縁部分に取り付けてなる縁取り上敷であって、前記第１の縁面覆片が、その外側縁を前記第１の縁面の前記端縁に合致させて該第１の縁面に接着されると共に、前記カバー片が前記折り線部で折り曲げられて前記第１の縁面覆片に接着されており、該カバー片の折り曲げ部の先端が、前記第１の縁面覆片に貼着されている前記両面粘着テープの先端側縁（該両面粘着テープの両側縁のうちの前記第１の縁面の前記端縁から遠い側縁）から先側に突出するようになされていることを特徴とするものである。
【００２７】
本発明に係る縁取りテープと物品のセット物は、請求項１〜９の何れかの態様の縁取りテープを、前記カバー片を前記第１の縁面覆片に対して折り曲げた状態にして、前記物品とセットにして包装したことを特徴とするものである。
【００２８】
本発明に係る縁取りテープと物品のセット物の他の態様は、請求項１〜９の何れかの態様の縁取りテープを、前記カバー片を前記第１の縁面覆片に対して折り曲げた状態で且つ、端部がＵ字状に屈曲された巻回状態として、前記物品とセットにして包装したことを特徴とするものである。
【発明の効果】
【００２９】
本発明は以下の如き優れた効果を奏する。
(1) 本発明に係る縁取りテープは、置き畳や上敷等の物品の縁部分を縁取るテープ本体を具え、該テープ本体の所要部位には、剥離シートに支持された両面粘着シートが貼着されており、該剥離シートの引き剥がしによって該縁部分に接着される。そして該接着に際しては、前記縁部分の前記第１の縁面の端縁を基準にして前記第１の縁面覆片を該縁面に正確に接着でき、又前記カバー片を、折り癖が設けられた前記折り線部で、前記端縁と平行する直線状態で無理なく正確に折り曲げることができる。
【００３０】
従って本発明によるときは、例えば、置き畳や上敷に設けた欠切部の縁部分を縁取る際、特許文献１や特許文献２におけるようなミシンによる縫製を要さず、単なる接着によって簡易且つ作業性よく縁取りを形成できる。かかることから、専門業者に依頼することなく、一般の工事の施工業者であっても又一般人であっても、該縁部分を簡易且つ見栄えよく縁取ることができ、施工コストの低減も期し得ることとなる。又通常の場合は、接着された縁取りテープは引き剥がしが容易であるため、縁部分が変色したり損傷を受けた場合、或いは該縁部分のデザインを変更したい場合には、貼着されている縁取りテープを該縁部分から取り外して新たに縁取りを形成することも容易である。
【００３１】
(2) 又本発明に係る縁取りテープによるときは、前記縁部分を縁取る際、前記第１の縁面覆片の外側縁を前記第１の縁面の端縁に合致させて、該第１の縁面覆片を前記第１の縁面に接着し、その後、前記カバー片を前記折り線部で折り曲げて該第１の縁面覆片をカバー片で覆う。この折り曲げは、折り癖が設けられている前記折り線部で行われるため、該カバー片を直線状に正確に折り曲げることができる。その結果、特許文献３における前記覆片が１枚物であったのとは異なり、置き畳や上敷等に製造段階で施されている元々の縁取りに近い外観形態の、二重構成でボリューム感を有する仕上がりのよい縁取りを形成できる。又、従来の置き畳等に見られた図２６〜２７に示すような縫い目が縁取りの表面に表れることもなく、これらによって、縁取りの品質向上を期し得ることとなる。
【００３２】
(3) 前記第１の縁面覆片の前記第１の縁面に対しての接着を前記内側縁に沿って連続状態で行う場合は、前記カバー片の折り曲げによって形成された折り曲げ部を、前記第１の縁面から浮いた部分を作らないで、該折り曲げ部の全長に亘って安定構造のものとして構成できることとなる。
【００３３】
(4) 前記第１の縁面覆片を、その略全面で前記第１の縁面に接着される如くなすと共に、前記カバー片を、その略全面で前記第１の縁面覆片に接着される如くなす場合は、構造的に安定し且つ見栄えにも優れる縁取りを構成できることとなる。
【００３４】
(5) 本発明に係る縁取りテープを縁部分に取り付けて縁取りを構成したときに、前記カバー片の折り曲げによって形成された折り曲げ部が前記両面粘着シートの先端側縁から先側に突出する如く構成するときは、前記第１の縁面覆片に貼着されている前記両面粘着シートの粘着性の先端縁に埃が付着したとしても、付着した埃が上から目視されにくい。
【００３５】
(6) 前記縁取りテープを構成する前記第２の縁面覆片の先端側に、両面粘着シートが貼着されていない摘み用縁部分を形成する場合は、縁取りテープを貼り替える際、該摘み用縁部を摘んで該縁取りテープを徐々に無理なく剥がすことができる。
【００３６】
(7) 本発明に係る縁取りテープが前記第２の縁面覆片を具える場合において、該第２の縁面覆片が二つ折りされ、その折り返し片に、剥離シートに支持された両面粘着シートが貼着されてなる場合は、前記カバー片と前記折り返し片とを、異なる柄を有する等、異質のデザインを有する如く構成することにより、該縁取りテープを用いて縁取りされた置き畳や上敷等の物品の表側の面と裏側の面を使い分けることができる。
【００３７】
(8) 前記剥離シートに支持された両面粘着シートを、前記折り線部を覆うように該カバー片と前記第１の縁面覆片とに亘って貼着する場合は、該剥離シートも含めて前記折り癖を設けることができる。かかることから、折り癖が付きにくい生地であっても、該剥離シートの形状保持作用によって折り癖を維持させやすくなる。
【００３８】
(9) 本発明に係る縁取り置き畳、縁取り上敷によるときは、前記縁取りテープに関して説明した前記独特の効果を奏し得る品質のよい縁取りを有する置き畳や上敷を提供できる。
【００３９】
(10)本発明に係る縁取りテープと物品とのセット物は、前記カバー片を前記第１の縁面覆片に対して折り曲げた状態として包装するものであるため、カバー片の折り曲げ状態を、出荷してからユーザーが使用するまでの間において安定的に保持できることとなる。又、該縁取りテープの長さが長いときは、前記カバー片を前記第１の縁面覆片に対して折り曲げた状態で且つ、端部分を円弧状に緩く屈曲させた巻回状態で包装するため、前記カバー片が折り曲げられた状態にあっても、前記剥離シートの貼着部分に皺がよるのを極力防止できることとなり、カバー片の折り曲げ状態を、出荷してからユーザーが使用するまでの間において安定的に保持できる。従って、前記折り線部の折り癖が確実に維持されることとなる。
【図面の簡単な説明】
【００４０】
【図１】本発明に係る縁取りテープを表側から見た斜視図と、これで縁取りされる置き畳を示す斜視図である。
【図２】本発明に係る縁取りテープを裏側から見た斜視図である。
【図３】本発明に係る縁取りテープを示す部分平面図と側面図と部分断面図である。
【図４】置き畳を示す全体斜視図と、その製造段階で施されている縁取りを示す断面図である。
【図５】置き畳のコーナ部分に欠切部を設けた状態を示す斜視図である。
【図６】その欠切部の縁部分を本発明に係る縁取りテープで縁取りした状態を示す斜視図と、縁取り状態を示す断面図である。
【図７】その斜視図である。
【図８】カバー片を該第１の縁面覆片に折り重ねた状態を示す側面図と斜視図である。
【図９】置き畳の縁部分を本発明の縁取りテープで縁取る作業工程を説明する説明図である。
【図１０】その部分拡大図である。
【図１１】上敷に設けた欠切部の縁部分を本発明に係る縁取りテープで縁取りした状態を示す斜視図と、その縁取り状態を示す断面図である。
【図１２】置き畳の縁部分の表裏対向する縁面の何れにおいても折り曲げ部が形成されるように構成されてなる本発明に係る縁取りテープを表側から見た斜視図と、これを用いて縁取りされる置き畳を示す斜視図である。
【図１３】その縁取りテープを裏側から見た斜視図である。
【図１４】その縁取りテープを示す部分平面図と側面図と部分断面図である。
【図１５】その縁取りテープを構成するテープ基材を示す斜視図である。
【図１６】その縁取りテープを用いて置き畳の縁部分を縁取りした状態を示す断面図である。
【図１７】その縁取りテープを用いて上敷の縁部分を縁取りした状態を示す断面図である。
【図１８】その縁取りテープを用いて置き畳の縁部分を縁取りする作業工程を説明する説明図である。
【図１９】その部分拡大図である。
【図２０】置き畳の縁部分の第１の縁面と側面を縁取りした状態を示す側面図である。
【図２１】花瓶等を載せるマットとしての物品の縁部分を本発明に係る縁取りテープで縁取りした状態を示す斜視図である。
【図２２】折り癖が付きにくい生地に折り癖を付与するための構成を説明する断面図である。
【図２３】第１の縁面覆片にカバー片を全面で接着させる他の構成を説明する説明図である。
【図２４】第２の縁面覆片の先端側に摘み用縁部分を形成した場合を示す説明図である。
【図２５】従来の置き畳の縁取り状態の一例を示す斜視図である。
【図２６】その縁取り状態の他の例を示す斜視図である。
【図２７】その縁取り状態のその他の例を示す斜視図である。
【図２８】その縁取り状態のその他の例を示す斜視図である。
【図２９】縁取りテープの接着によって縁取りした状態の一例を示す側面図である。
【図３０】その縁取りテープを説明する斜視図である。
【図３１】その縁取りテープを用いて縁部分を縁取りする作業工程を説明する説明図である。
【発明を実施するための形態】
【実施例１】
【００４１】
図１〜３において本発明に係る縁取りテープ１は、例えば洋間の床面に部分的に敷かれて畳敷き部を形成する置き畳２ａとしての物品２の、直線状を呈する縁部分（本実施例においては、後述の欠切部２６の縁部分）３を縁取るテープ本体４を具えており、該テープ本体４の所要部位には、後述の、剥離シート２１に支持された両面粘着シート２２が貼着されている。該剥離シート２１を引き剥がすと粘着面２２ａがあらわれる。
【００４２】
該テープ本体４は、図１〜３に示すように、前記縁部分３の表裏対向する縁面の表側の縁面である第１の縁面５の延長方向に延長し且つその外側縁６が該第１の縁面５の端縁７に合致した状態で該第１の縁面５に接着される第１の縁面覆片９と、該第１の縁面覆片９の内側縁１０に折り線部１１を介して連設されて該第１の縁面覆片９を覆い得るカバー片１２と、該カバー片１２の先端縁１３に連設されて前記縁部分３の側面１５を覆い得る側面覆片１６と、該側面覆片１６の先端縁１７に連設され且つ、前記表裏対向する縁面の裏側の縁面である第２の縁面１９に接着される第２の縁面覆片２０とを具えている。そして前記第１の縁面覆片９の該第１の縁面５に対しての接着は、少なくとも該内側縁１０側において行われる如くなされている。又、前記折り線部１１は前記外側縁６と平行しており、該折り線部１１に沿って折り癖が設けられている。
【００４３】
前記置き畳２ａは、例えば図４に示すように、その厚さが４〜３０ｍｍ（本実施例においては例えば１５ｍｍ）に設定され且つ１辺長さが例えば９００ｍｍの正方形板状に形成されており、その対向する左右の縁部分２３，２３は、該置き畳２の製造段階において縁布２５で縁取られている。該縁布２５は織物製であり、該縁部分２３の上の縁面２３ａが内側覆片２５ａで覆われると共に該内側覆片２５ａの先側部位２５ｂが該縁部分２３に縫製されている。そして該縁布２５は、該内側覆片２５ａの先端部位２５ｃで折り返えされて該内側覆片２５ａが外側覆片２５ｄで覆われ、該外側覆片２５ｄの先端で折り曲げられ、側面覆片２５ｅで前記縁部分２３の側面２３ｂが覆われ、該側面覆片２５ｅの下端で折り曲げられ、前記縁部分２３の下の縁面２３ｃが下面覆片２５ｆで覆われている。
【００４４】
前記縁取りテープ１は、本実施例においては例えば織物製であり、対象とする置き畳２ａの前記縁布２５と同様素材で、且つ、同様柄を有するものとして構成されている。その素材としては、天然のい草や綿、ポリエステル、ポリプロピレン等を用いることができる。
【００４５】
然して、前記置き畳２ａを床面に敷くに際して、例えば柱が障害となる場合は、該柱の下端形状に合わせて、例えば図５に示すように、該置き畳２ａのコーナ部分等所要部位を切り欠いて欠切部２６を設ける。その後、図６に示すように、該欠切部２６の縁部分３を前記縁取りテープ１で縁取る。
【００４６】
該縁取りテープ１は、より具体的には図１〜３に示すように、前記第１の縁面覆片９の幅寸法が、該置き畳２ａの縁部分３の前記上の縁面２３ａを縁取る前記縁布２５の前記内側覆片２５ａ（図４（Ｂ））と略同幅の２０〜３５ｍｍに設定されている。例えば２５ｍｍに設定されている。そして本実施例においては図６（Ｂ）、図７に示すように、該第１の縁面覆片９は、その外側縁６を前記第１の縁面５の端縁７に合致させた状態で、該第１の縁面５に略全面で接着される如くなされている。。この接着のために、図１〜３に示すように、前記テープ本体４を構成する該第１の縁面覆片９の裏面２７の略全面に亘って、剥離シート２１に支持された両面粘着シート２２が、その両側縁２９，２９を該第１の縁面覆片９の前記外側縁６と前記内側縁１０に略合致させて貼着されている。
【００４７】
又図１〜３に示すように、該第１の縁面覆片９の前記内側縁１０に、前記外側縁６と平行する前記折り線部１１を介して連設された前記カバー片１２と、該カバー片１２の先端縁１３に連設されている前記側面覆片１６と、該側面覆片１６の先端縁１７に連設されている前記第２の縁面覆片２０の表面３１の夫々の略全面に亘って、剥離シート２１に支持された両面粘着シート２２が貼着されている。
【００４８】
前記折り線部１１に沿っての前記折り癖は、例えば図８に示すように、前記第１の縁面覆片９の表面３２と前記カバー片１２の表面３３とが、前記剥離シート２１に支持された両面粘着シート２２を介して重なり合うように、該カバー片１２を該折り線部１１で該第１の縁面覆片９に対して折り曲げ、この状態で前記縁取りテープ１を一対の圧接ローラで圧接挾持することによって付与できる。或いは、この折り曲げ状態でプリーツ加工を施して付与することもできる。
【００４９】
図６、図７は、かかる構成を有する縁取りテープ１を用いて前記欠切部２６の縁部分３を縁取り補修した状態を示している。この縁取り補修を行うためには、前記第１の縁面覆片９の前記剥離シート２１を引き剥がして後、図９（Ａ）、図１０（Ａ）に示すように、該第１の縁面覆片９の外側縁６を前記第１の縁面５の端縁（外端側の縁）７に合致させた状態で、即ち、該端縁７を基準にして該第１の縁面覆片９を位置決めし、これを該第１の縁面５に略全面で接着させる。これによって、該第１の縁面覆片９を該第１の縁面５に正確に接着できる。
【００５０】
その後、前記カバー片１２側の前記剥離シート２１を引き剥がして、該カバー片１２を前記折り線部１１で折り曲げる。該折り線部１１は折り癖が設けられているため、該カバー片１２を、図９（Ｂ）、図１０（Ｂ）に示すように、前記第１の縁面５の端縁７と平行して該折り線部１１で直線状に正確に折り曲げることができる。そして、折り曲げ部３５を形成して折り曲げられた該カバー片１２を前記第１の縁面覆片９の表面３６に略全面で接着させる。該カバー片１２をこのように折り線部１１で折り曲げた状態で、図１０（Ｂ）に示すように、折り曲げ部３５の先端３７が、前記第１の縁面覆片９に貼着されている前記両面粘着シート２２の先端縁３９から先側に稍突出した状態となる。
【００５１】
その後、図９（Ｃ）、図１０（Ｃ）に示すように、前記側面覆片１６を前記縁部分３の側面１５に略全面で接着させ、然る後、前記第２の縁面覆片２０を、前記縁部分３の前記第２の縁面１９に略全面で接着させる。これによって、図９（Ｄ）、図５（Ｂ）に示すように、前記縁部分３が前記縁取りテープ１で縁取りされることとなる。
【００５２】
従って、かかる構成を有する縁取りテープ１によるときは、従来のようにミシンで縫製する必要がなく、単なる貼着によって、簡易且つ作業性よく縁取りを形成できる。又、貼着された該縁取りテープ１は、通常の場合、引き剥がしが容易であるため、縁部分が変色したり損傷を受けた場合、或いは該縁部分のデザインを変更したい場合は、これを該縁部分３から取り外して新たに縁取りを形成することも容易である。
【００５３】
又かかる縁取り補修状態は、図７に示すように、置き畳２ａの製造段階で施されている縁取りＡと、折り曲げ部３５を具える点で同様である。即ち、特許文献３に係る前記覆片ｂ１，ｂ１が１枚物であったのとは異なり二重構成でボリューム感を有する仕上がりのよい縁取りを形成でき、置き畳や上敷等に製造段階で施されている元々の縁取りに近い外観形態で縁取りできるのであり、縁取り全体として外観上の統一を図ることができるのである。又図６（Ｂ）に示すように、前記第１の縁面覆片９の前記外側縁６にほつれが生じていても、該ほつれを、該第１の縁面覆片９を覆うカバー片１２と前記側面１５を覆う側面覆片１６とによって覆い隠すことができる。その上、従来の置き畳等に見られた図２６に示すような縫い目ｕが縁取りの表面に表れることもなく、これらによって、縁取りの品質向上を期し得ることとなる。
【００５４】
又、特許文献３に係る縁取りテープ１においては、図２９〜３１に基づいて説明したように、縁部分ｂの表面を覆う覆片ｂ１，ｂ１が一枚物であり、その裏面に両面粘着シートｄ１，ｄ１が貼着されており、その先端縁ｇ１が該覆片ｂ１の先端縁ｆ１に略合致した状態で貼着されていたため、該両面粘着シートｄ１の粘着性の該先端縁ｇ１に埃が付着しやすく、この付着した埃が上から目視されやすい問題があった。これに対して、前記縁取りテープ１を縁部分３に取り付けて構成された縁取りにあっては、前記第１の縁面覆片９に貼着されている前記両面粘着シート２２の粘着性の先端縁３９（図６（Ｂ）、図１０（Ｂ））に埃が付着したとしても、前記折り曲げ部３５の先端３７が該両面粘着シート２２の先端縁３９から先側に突出するため、付着した埃が上から目視されにくい。
【００５５】
前記置き畳２ａに設ける前記欠切部２６は、床面に設置されているタンスやロッカーの下端部分を納めるために所要部位に所要大きさで設けられることもあり、この欠切部の縁部分を前記と同様にして縁取ることができる。
【００５６】
その他、洋間の床面一面に複数枚の置き畳（縁取り無しの置き畳）２ａを敷くことによって該洋間を和室風にする場合は、置き畳を床面一面にぴったりと敷き詰めることができない場合が生ずる。この場合は、左右の壁側に敷かれている置き畳２，２を所要幅にカットすることがある。この場合は、カットした部分に、前記縁取りテープ１を前記と同様の要領で取り付けることができる。
【００５７】
図１１は、上敷２ｂとしての物品２の所要部位を切り欠いて欠切部２６を設けた場合において、その縁部分３を前記縁取りテープ１で縁取りした状態を示すものである。該欠切部２６は、例えば、畳間４０に設置されているタンスの下端部分の形状に合わせて設けられる。該縁取りテープ１が、前記置き畳２ａの縁部分を縁取る縁取りテープ１と異なるのは、前記側面覆片１６の幅だけであり、その他の構成は前記と同様である。図１１（Ｂ）は、前記置き畳２ａにおけると同様の要領で縁部分３を縁取りした状態を示す断面図である。そして、このように縁取りされてなる上敷２ｂにおいても、前記置き畳２ａに関して説明したところと同様の作用効果が得られる。図１１（Ｂ）においては、前記側面覆片１６が前記側面１５に接着されている状態が示されており、図１１（Ｃ）においては、該側面覆片１６が前記側面１５に接着されていない状態が示されている。この場合は、前記側面覆片１６に、前記剥離シート２１に支持された両面粘着シート２２が貼着されていない。
【実施例２】
【００５８】
図１２〜１５は、本発明に係る縁取りテープ１の他の実施例を示すものであり、図１６は、例えば置き畳２ａとしての物品２の直線状を呈する縁部分３を該縁取りテープ１で縁取りした状態を示しており、図１７は、例えば、上敷２ｂとしての物品２の直線状を呈する縁部分３を該縁取りテープ１で縁取りした状態を示している。
【００５９】
該縁取りテープ１が実施例１における場合と相違するのは、前記置き畳２ａや前記上敷２ｂ等としての物品の、表裏対向する縁面の他方である第２の縁面１９を、前記第１の縁面５におけると同様に折り曲げ部３５を具える如く縁取り可能に構成されている点である。
【００６０】
図１２〜１６は、置き畳２ａとしての物品２の縁部分３を縁取る縁取りテープ１を示すものであり、該縁取りテープ１を構成するテープ本体４は、前記縁部分３の表裏対向する縁面の何れか一方である第１の縁面５の延長方向に延長し且つその外側縁６が該第１の縁面５の端縁７に合致した状態で該第１の縁面５に略全面で接着される第１の縁面覆片９と、該第１の縁面覆片９の内側縁１０に折り線部１１を介して連設されて該第１の縁面覆片９を覆うことができると共に、該第１の縁面覆片９に略全面で接着されるカバー片１２と、該カバー片１２の先端縁１３に連設されて前記縁部分３の側面１５を覆い得る側面覆片１６と、該側面覆片１６の先端縁１７に連設され且つ、前記表裏対向する縁部分３の縁面の他方である第２の縁面１９に接着される第２の縁面覆片２０とを具えている。前記折り線部１１は、前記と同様にして折り癖が設けられている。
【００６１】
そして該第２の縁面覆片２０は、図１４、図１６に示すように、前記第２の縁面１９に面する側で内側に折り返されて二つ折りされ、該二つ折り状態で接着一体化され、その折り返し片４１の、該第２の縁面１９に面する表面４２が、該第２の縁面１９に接着される。該折り返し片４１の折り返しは、図１５に示すように、その基端縁４３に、前記第１の縁面覆片９の前記外側縁６と平行して折目を予め設けておけば、該折目で折り曲げることによって正確に二つ折りできる。該折り返し片４１の幅寸法は任意に設定できるが、図１６に示すように置き畳２の縁部分３を縁取る場合は、前記第１の縁面覆片９の幅寸法と略等しく設定するのがよい。
【００６２】
そして、前記第１の縁面覆片９と前記第２の縁面覆片２０には、前記接着を行わせるために、剥離シート２１に支持された両面粘着シート２２が貼着されており、又、前記第１の縁面覆片９に前記カバー片１２を前記のように接着させるために、該カバー片１２に、剥離シート２１に支持された両面粘着シート２２が貼着されている。
【００６３】
そして、前記二つ折りされた状態で接着一体化させるために、前記折り返し片４１又は該折り返し片４１と重なり合う片部４６の何れか一方（図１５においては該重なり合う片部４６）に、剥離シート２１に支持された両面粘着シート２２が貼着されている。
【００６４】
図１６は、かかる構成を有するリバーシブル型の縁取りテープ１を用いて置き畳２ａの縁部分３を縁取りした状態を示している。この縁取りを行う要領を図１８〜１９に基づいて説明すれば、前記第１の縁面覆片９の前記剥離シート２１を引き剥がして後、図１８（Ａ）、図１９（Ａ）に示すように、前記第１の縁面覆片９の外側縁６を前記第１の縁面５の端縁（外端側の縁）７に合致させた状態で、即ち、該端縁７を基準にして該第１の縁面覆片９を位置決めし、これを該第１の縁面５に略全面で接着させる。これによって、該第１の縁面覆片９を該第１の縁面５に正確に接着できる。
【００６５】
その後、前記カバー片１２側の前記剥離シート２１を引き剥がして、該カバー片１２を前記折り線部１１で折り曲げる。該折り線部１１は折り癖が設けられているため、該カバー片１２を、図１８（Ｂ）、図１９（Ｂ）に示すように、前記第１の縁面５の端縁７と平行して該折り線部１１で直線状に正確に折り曲げることができる。そして、折り曲げ部３５を形成して折り曲げられた該カバー片１２を前記第１の縁面覆片９の表面３６に略全面で接着させる。該カバー片１２をこのように折り線部１１で折り曲げた状態で、図１９（Ｂ）に示すように、折り曲げ部３５の先端３７が、前記第１の縁面覆片９に貼着されている前記両面粘着シート２２の先端縁３９から先側に稍突出した状態となる。
【００６６】
その後、図１８（Ｃ）、図１９（Ｃ）に示すように、前記側面覆片１６を前記縁部分３の側面１５に略全面で接着させ、然る後、図１９（Ｄ）に示すように、前記第２の縁面覆片２０を、前記縁部分３の前記第２の縁面１９に略全面で接着させる。このように接着した状態で、該第２の縁面覆片２０に設けられている前記折り曲げ部３５の先端３７が、図１６に示すように、前記折り返し片４１に貼着されている前記両面粘着シート２２の先端縁３９から先側に稍突出状態となる。これによって、図１８（Ｄ）、図１６に示すように、前記縁部分３が前記縁取りテープ１で縁取りされることとなる。
【００６７】
従って、かかる構成を有する縁取りテープ１によるときは、従来のようにミシンで縫製する必要がなく、単なる貼着によって、簡易且つ作業性よく縁取りを形成できる。又、貼着された該縁取りテープ１は、通常の場合、引き剥がしが容易であるため、縁部分が変色したり損傷を受けた場合、或いは該縁部分のデザインを変更したい場合は、これを縁部分３から取り外して新たに縁取りを形成することも容易である。
【００６８】
本実施例に係る縁取りテープ１によるときは、前記置き畳２を、その表側の面も裏側の面も使用可能となし、且つ、前記カバー片１２と前記折り返し片４１とを異なる柄を有する等、異質のデザインを有する如く構成することにより、該置き畳２の表側の面と裏側の面を使い分けできることとなる。
【００６９】
前記した図１７は、前記構成を有するリバーシブル型の縁取りテープ１を用いて上敷２ｂの縁部分３を縁取りした状態を示すものであり、該上敷２ｂの表側の面と裏側の面を使い分けできる。又、実施例１で述べたと同様の作用効果が得られる。なお図１７においては、前記側面覆片１６は前記側面１５に接着されていない状態が示されている。この場合は、前記側面覆片１６に、前記剥離シート２１に支持された両面粘着シート２２が貼着されていない。
【実施例３】
【００７０】
図２０は、実施例１において、前記第２の縁面覆片２０が省略されてなる縁取りテープ１及び、これを用いて形成された、例えば置き畳２ａとしての物品２の縁部分３を縁取りした状態を示すものである。この場合は、前記側面覆片１６を前記縁部分３の側面１５に接着するのがよい。図２０においては該側面１５の全面に側面覆片１６を接着した場合が示されている。
【実施例４】
【００７１】
本発明は、前記実施例で示したものに限定されるものでは決してなく、「特許請求の範囲」の記載内で種々の設計変更が可能であることはいうまでもない。その一例を挙げれば次のようである。
【００７２】
(1) 本発明に係る縁取りテープ１は、前記した置き畳や上敷、ござ、レジャー用シート等の、床面や畳面、芝生面等に敷かれる各種の敷物の他、花瓶や置物等を載せるための敷物、コースターや皿、写真立て等、縁取り可能な各種物品の縁部分を縁取るために応用できる。この縁部分３は、直線状を呈するものの他、円弧状や波形状等の湾曲した縁部分３であってもよく、これらを組合わせたものであってもよい。図２１は、置物や花瓶等を載せるための敷物２ｃとしての物品２の縁部分３を前記縁取りテープ１で縁取りした状態を示す斜視図である。そして前記第１の縁面覆片９の幅寸法は、縁取りが施される対象物品に合わせて所要に設定できる。
【００７３】
(2) 前記テープ本体４は、かかる物品の縁取りに適したものが選択される。該テープ本体４は、前記した織物製のものの他、編物製のものや不織布製のもの、和紙等の紙製のもの、樹脂シート製のものやゴムシート製のもの等であってもよい。前記テープ本体４として、弾性伸縮性を有するバイヤステープや編物製のもの、樹脂シート製のもの、ゴムシート製のもの等を用いる場合は、これらからなる縁取りテープ１を用いて、円弧状や波形状等の湾曲した縁部分を縁取ることもできる。その厚さは、厚くても薄くてもよい、要は、対象となる物品の縁取りに適したものが選択される。
【００７４】
特に、薄地で軟らかい生地からなるものであって、折り癖が付きにくい生地の場合は、例えば図２２に示すように、前記剥離シート２１に支持された両面粘着シート２２が、前記折り線部１１を覆うように該カバー片１２と前記第１の縁面覆片９とに亘って貼着されたものとすれば、図２２（Ｂ）に示すように、該剥離シート２１も含めて折り癖を設けることができ、該剥離シートの形状保持作用によって、折り癖を維持させやすくなる。
【００７５】
(3) 前記テープ本体４は、広幅の織物や編物を所要幅にカット（ヒートカット又はナイフによるカット）して構成することもできる。この場合、カットによって形成された縁部は、ほつれが生ずる恐れがあるが、本発明においては、例えば図６（Ｂ）に示すように、第１の縁面５に接着されてなる第１の縁面覆片９に対して前記カバー片１２を前記折り線部１１で折り曲げ、該カバー片１２と前記側面１５を覆う側面覆片１６とで該第１の縁面覆片９を覆うため、前記カット縁部が表面に露出せず、従って、該カット縁部がほつれていてもそのほつれが露出しない。
【００７６】
(4) 前記第１の縁面覆片９の前記第１の縁面５に対しての接着は、少なくとも前記内側縁１０側において行われる如くなされるのであるが、前記内側縁１０側とは、前記第１の縁面覆片９の略全面である必要はない。要は、前記第１の縁面覆片９が前記第１の縁面５に接着された状態で前記カバー片１２を前記折り線部１１で確実に折り曲げることができるように設定された、前記内側縁１０が存する側であればよい。
【００７７】
(5) 前記内側縁１０側に貼着される、前記剥離シート２１に支持された両面粘着シート２２は、縁取りされた個々の物品２の使用状態において、前記カバー片１２の前記折り曲げ部３５側の部分が外力を受けて捲れにくいものであれば、該内側縁１０に沿って連続状態に貼着されることの他、所要間隔を置いた途切れ状態で該内側縁１０に沿って貼着されてもよい。該内側縁１９に沿って前記両面粘着シート２１が貼着される場合、該内側縁１０に合致した状態で該両面粘着テープ２１が貼着されるとは限らない。製造誤差を考慮して、該内側縁１０から多少（例えば１ｍｍ程度）内方に位置させて該内側縁１０側に貼着されることもある。
【００７８】
(6) 前記カバー片１２を、前記第１の縁面覆片９に接着させる際、前記のように、両面粘着シート２２を該カバー片１２に貼着することの他、図２３に示すように、前記第１の縁面覆片９の表面（前記裏面２７と対向する面）３６に両面粘着シート２２を貼着してもよい。
【００７９】
(7) 前記縁部分３を縁取った状態において、前記カバー片１２を前記第１の縁面覆片９に略全面で接着させることは必須ではない。前記第１の縁面覆片９に対する前記カバー片１２の接着は、該カバー片１２の前記折り線部１１での折り曲げ状態を保持できるものである限り、その接着部位は特定されず、該カバー片１２の先端縁側や、その幅方向での両側部分や中央部分等、所要箇所に設定できる。
【００８０】
(8) 前記カバー片１２を該第１の縁面覆片９に接着しないこともある。又、前記側面覆片１６を前記側面１５に接着しないこともある。
【００８１】
(9) 前記両面粘着シート２２を前記第２の縁面覆片２０に貼着する際、例えば図２４に示すように、該両面粘着シート２２の先端縁４７を該第２の縁面覆片２０の先端縁４９から稍内方に( 例えば５ｍｍ程度内方に）退いた状態とし、該第２の縁面覆片２０の先端側に摘み用縁部分５０を形成することもある。
【００８２】
このように構成する場合は、前記第２の縁面１９が例えば床面等の敷設面に接する場合は、該摘み用縁部分５０が可視面に露出しないために、置き畳や上敷等の敷設状態に違和感がない。そして、かかる縁取りテープ１を貼り替える際は、該摘み用縁部分５０には両面粘着シート２２が貼着されていないため、該摘み用縁部分５０を摘んで縁取りテープを徐々に無理なく剥がすことができる。
【００８３】
(10)前記第２の縁面１９に対する前記第２の縁面覆片２０の接着状態は、該第２の縁面覆片２０の外側縁側や幅方向の中央部位等、所要部位に設定できる。
【００８４】
(11)前記第１の縁面覆片９や前記カバー片１２、前記第２の縁面覆片２０を接着する場合、強力な接着状態が要求される場合は、強力な粘着力を有する両面粘着シートを用いることができる。
【００８５】
(12)本発明に係る縁取りテープ１は、前記第１の縁面覆片９と前記カバー片１２のみによって構成されることもある。この場合は、該カバー片１２を該第１の縁面覆片９に接着させるのが前提であり、該カバー片１２の接着は、その略全面に亘って行うのがよい。
【００８６】
(13)前記縁取りテープを用いて縁取りされた置き畳や上敷等の物品の表側の面と裏側の面を使い分け可能とする場合、前記第１の縁面５と前記第２の縁面１９に対して個々に、前記第１の縁面覆片９と前記カバー片１２のみによって構成されてなる縁取りテープ１を取り付けることもできる。
【００８７】
(14)例えば１〜４ｍ程度の長さの前記縁取りテープ１と、置き畳、上敷等としての物品とをセットにして包装する場合、該縁取りテープ１は、前記カバー片１２を前記第１の縁面覆片９に対して折り曲げた状態とし、且つ、テープ端部分を円弧状に緩く屈曲させた巻回状態で収納するのがよい。このように端部分をＵ字状に緩く屈曲させることとすれば、該カバー片１２が図８に示すように折り曲げられた状態にあっても、前記剥離シート２１の貼着部分に皺がよるのを極力防止できることとなる。これによって、該カバー片１２の折り曲げ状態を、出荷してからユーザーが使用するまでの間において安定的に保持でき、前記折り線部１１の折り癖を確実に維持させ得ることとなる。
【符号の説明】
【００８８】
１  縁取りテープ
２  物品
２ａ  置き畳
３  縁部分
４  テープ本体
５  第１の縁面
６  外側縁
７  端縁
９  第１の縁面覆片
１０  内側縁
１１  折り線部
１２  カバー片
１５  側面
１６  側面覆片
１９  第２の縁面
２０  第２の縁面覆片
２２  両面粘着シート
２６  欠切部
３５  折り曲げ部
３７  先端
３９  先端縁
４１  折り返し片
５０  摘み用縁部分
【図１】
2017048530.tif 000003
【図２】
2017048530.tif 000004
【図３】
2017048530.tif 000005
【図４】
2017048530.tif 000006
【図５】
2017048530.tif 000007
【図６】
2017048530.tif 000008
【図７】
2017048530.tif 000009
【図８】
2017048530.tif 000010
【図９】
2017048530.tif 000011
【図１０】
2017048530.tif 000012
【図１１】
2017048530.tif 000013
【図１２】
2017048530.tif 000014
【図１３】
2017048530.tif 000015
【図１４】
2017048530.tif 000016
【図１５】
2017048530.tif 000017
【図１６】
2017048530.tif 000018
【図１７】
2017048530.tif 000019
【図１８】
2017048530.tif 000020
【図１９】
2017048530.tif 000021
【図２０】
2017048530.tif 000022
【図２１】
2017048530.tif 000023
【図２２】
2017048530.tif 000024
【図２３】
2017048530.tif 000025
【図２４】
2017048530.tif 000026
【図２５】
2017048530.tif 000027
【図２６】
2017048530.tif 000028
【図２７】
2017048530.tif 000029
【図２８】
2017048530.tif 000030
【図２９】
2017048530.tif 000031
【図３０】
2017048530.tif 000032
【図３１】
2017048530.tif 000033